(57)【要約】【課題】本発明は、電動送風機からの排気風からの受熱と、電動送風機の回転に伴う振動の抑制を両立する、信頼性の高い電気掃除機を提供するものである。【解決手段】吸放湿部材４５を内部に支持する第１の容器４４ｂと、電動送風機３０からの熱を内部に伝える第２の容器４４ｃとの間に弾性部材４６を介して一体構成された調湿容器４４と、電動送風機３０の外郭全周を間隔を設けて覆い、排気を外部に放出する電動送風機ケース５０とを備え、調湿容器４４を電動送風機ケース５０の中に臨ませかつ、第２の容器４４ｃを電動送風機３０に当接配置したことより、吸放湿部材４５は加熱され、また弾性部材４６の防振作用により、第１の容器４４ｂやそれに接続されている集塵ケース２４には振動が伝わらず騒音が発生しない。従って、振動により吸放湿部材４５に添着したタフチックが脱落することが無く信頼性の高い電気掃除機を提供することができる。【選択図】図５
2014042639.tif 000002
【特許請求の範囲】
【請求項１】
吸引力を発生させる電動送風機と、
掃除機本体に設けられ塵埃を含む空気を吸引する吸引口と、
掃除機本体に着脱自在に配置され、上部に前記電動送風機と連通する排出口を有した集塵ケース本体と、
前記集塵ケース本体内に配置され前記電動送風機により吸引した前記塵埃を含む空気を塵埃分離する塵埃分離部と、
前記集塵ケース本体内に配置され、前記塵埃分離部の下方に位置し、分離された塵埃を溜める集塵室と、
前記塵埃分離部の外郭周方向に設けられ塵埃を含む空気を吸引する吸気口と、
前記集塵室に開口した開口部と、
吸放湿部材を内部に支持する第１の容器と、電動送風機からの熱を内部に伝える第２の容器との間に弾性部材を介して一体構成された調湿容器と、
電動送風機の外郭全周を間隔を設けて覆い、排気を外部に放出する電動送風機ケースと、を備え、
前記調湿容器を前記電動送風機ケースの中に臨ませかつ、前記第２の容器を前記電動送風機に当接配置した電気掃除機。
【請求項２】
前記弾性部材は、防振ゴムとした請求項１に記載の電気掃除機。
【発明の詳細な説明】
【技術分野】
【０００１】
本発明は、サイクロン式の電気掃除機に関するものである。
【背景技術】
【０００２】
近年、吸引した空気に旋回成分を持たせ、遠心力により気流から塵埃を分離除去するタイプの電気掃除機、いわゆるサイクロン式の電気掃除機が注目を浴びている。この種の電気掃除機において、図１１に示すような、塵埃を含む空気を外から内部に流入させるための吸気路１と、吸気路１に吸気を発生させる電動送風機（図示せず）と、吸気路１を通過した塵埃を含む空気を旋回により塵埃と空気とに分離して底部に溜める集塵室２と、霧化装置３を有し、霧化装置３は超音波振動手段４を有する霧化筒５と、霧化筒５に水を供給する給水筒６からなる。そして、給水筒６から供給された水を超音波振動手段４により霧状にして、平均粒子径が５０μｍ以下の水粒子を集塵室２の上流側に供給するものもある（例えば、特許文献１参照）。
【０００３】
しかしながら、別途電源が必要なため使い勝手が悪いので、図１０に示すように、電動送風機の作動時の熱エネルギーを利用する構成も考えられる。それは、集塵効率を向上させるため塵埃に湿度を供給するための吸放湿部材７とそれを収容する調湿容器８を有する構成である。例えばシリカゲルのような吸放湿部材７を使用すると、放湿させるために加熱が必要となる。このとき吸放湿部材７に熱を与えるために、電動送風機９に直接調湿容器８を密着固定することで、熱を受けることができる。
【先行技術文献】
【特許文献】
【０００４】
【特許文献１】特開平９−２５３０１１号公報
【発明の概要】
【発明が解決しようとする課題】
【０００５】
しかしながら、電動送風機９の熱を利用するために、電動送風機９に調湿容器８を直接密着させて固定すると、電動送風機９の回転に伴う振動のため、騒音の発生や、調湿容器８内部の吸放湿部材７が振動にさらされ、信頼性が悪化（ひび、脱落等）するという課題があった。
【０００６】
本発明は、上記従来の課題を解決するもので、電動送風機の排気風の熱を利用して吸放湿部材を収容する調湿容器を加熱し、さらに電動送風機の回転動作に伴う振動を、調湿容器ならびに集塵ケースに伝えないので、電動送風機の振動が調湿容器に伝わらず、騒音や吸放湿部材などの脱落がない、信頼性の高い電気掃除機を提供することを目的とする。
【課題を解決するための手段】
【０００７】
上記目的を達成するために本発明の電気掃除機は、
吸引力を発生させる電動送風機と、
掃除機本体に設けられ塵埃を含む空気を吸引する吸引口と、
掃除機本体に着脱自在に配置され、上部に前記電動送風機と連通する排出口を有した集塵ケース本体と、
前記集塵ケース本体内に配置され前記電動送風機により吸引した前記塵埃を含む空気を塵埃分離する塵埃分離部と、
前記集塵ケース本体内に配置され、前記塵埃分離部の下方に位置し、分離された塵埃を溜める集塵室と、
前記塵埃分離部の外郭周方向に設けられ塵埃を含む空気を吸引する吸気口と、
前記集塵室に開口した開口部と、
吸放湿部材を内部に支持する第１の容器と、電動送風機からの熱を内部に伝える第２の容器との間に弾性部材を介して一体構成された調湿容器と、
電動送風機の外郭全周を間隔を設けて覆い、排気を外部に放出する電動送風機ケースと、を備え、
前記調湿容器を前記電動送風機ケースの中に臨ませかつ、前記第２の容器を前記電動送風機に当接配置したことにより、
前記弾性部材により、前記電動送風機の振動が前記吸放湿部材と前記集塵ケース本体に伝わるのを抑制する構成としたものである。
【発明の効果】
【０００８】
調湿容器に対する電動送風機からの排気風からの受熱と、電動送風機の回転に伴う振動の抑制を両立し、吸放湿部材や集塵ケース本体が電動送風機の振動にさらされることのない信頼性の高い電気掃除機を提供することができる。
【図面の簡単な説明】
【０００９】
【図１】本発明の実施の形態１における電気掃除機の外観図
【図２】同電気掃除機の掃除中の側面断面図
【図３】同電気掃除機の掃除中の要部構成図
【図４】同電気掃除機の２次旋回室と集塵室の平面断面図
【図５】同電気掃除機の掃除終了後の側面断面図
【図６】同電気掃除機の調湿容器の側面断面図
【図７】同電気掃除機の弾性部材の斜視図
【図８】同電気掃除機の平衡時の吸放湿部材の相対湿度と吸湿率との関係図
【図９】本発明の実施の形態２における電気掃除機の調湿容器の側面断面図
【図１０】従来の電気掃除機の要部構成図
【図１１】従来の電気掃除機の集塵部での気流の流れを示した斜視図
【発明を実施するための形態】
【００１０】
第１の発明は、
吸引力を発生させる電動送風機と、
掃除機本体に設けられ塵埃を含む空気を吸引する吸引口と、
掃除機本体に着脱自在に配置され、上部に前記電動送風機と連通する排出口を有した集塵ケース本体と、
前記集塵ケース本体内に配置され前記電動送風機により吸引した前記塵埃を含む空気を塵埃分離する塵埃分離部と、
前記集塵ケース本体内に配置され、前記塵埃分離部の下方に位置し、分離された塵埃を溜める集塵室と、
前記塵埃分離部の外郭周方向に設けられ塵埃を含む空気を吸引する吸気口と、
前記集塵室に開口した開口部と、
吸放湿部材を内部に支持する第１の容器と、電動送風機からの熱を内部に伝える第２の容器との間に弾性部材を介して一体構成された調湿容器と、
電動送風機の外郭全周を間隔を設けて覆い、排気を外部に放出する電動送風機ケースと、を備え、
前記調湿容器を前記電動送風機ケースの中に臨ませかつ、前記第２の容器を前記電動送風機に当接配置したものである。
【００１１】
これにより、調湿容器は、電動送風機からの熱を第２の容器から熱伝導により受けることができ、第１の容器の内部に支持した吸放湿部材にこの熱を伝えることができる。
また、調湿容器は、第１の容器と第２の容器の間に弾性部材を介して一体構成されているため、電動送風機と密着している第２の容器が受けた、電動送風機の回転に伴う振動が、第１の容器には伝わることがない。そのため、第１の容器内に保持されている吸放湿部材や、調湿容器に接続されている集塵ケース本体などに振動が伝わることがない。
【００１２】
従って、調湿容器に対する電動送風機からの受熱と、電動送風機の回転に伴う振動の抑制を両立し、吸放湿部材や集塵ケース本体が電動送風機の振動にさらされることのない信頼性の高い電気掃除機を提供することができる。
【００１３】
第２の発明は、特に第１の発明において、前記弾性部材は防振ゴムとしたものである。これにより、電動送風機と密着している第２の容器が受けた、電動送風機の回転に伴う振動が、防振ゴムの減衰作用により第１の容器には伝わることがない。そのため、第１の容器内に保持されている吸放湿部材や、調湿容器に接続されている塵埃分離部などに振動が伝わることがない。
【００１４】
従って電動送風機の回転に伴う振動を抑制し、吸放湿部材や塵埃分離部が電動送風機の振動にさらされることのない信頼性の高い電気掃除機を提供することができる。
【００１５】
（実施の形態１）
図１〜図８を用いて、本発明の実施の形態１における電気掃除機について説明する。図１は本発明の実施の形態１を示す電気掃除機の外観図、図２は同電気掃除機の掃除中の側面断面図、図３は同電気掃除機の掃除中の要部構成図、図４は同電気掃除機の２次旋回室と集塵室の平面断面図、図５は同電気掃除機の掃除終了後の側面断面図、図６は同電気掃除機の調湿容器の側面断面図、図７は同電気掃除機の弾性部材の斜視図、図８は同電気掃除機の平衡時の吸放湿部材の相対湿度と吸湿率との関係図である。
【００１６】
図１に示すように、掃除機本体２１の外部には、車輪２２およびキャスター２３が取り付けられており、掃除機本体２１は床面を自在に移動できる。集塵ケース２４設置部の下方に設けられた吸引口２５には、吸引ホース２６、ハンドル２７を形成した延長管２８が順次接続されており、延長管２８の先端に吸込具２９を取り付けられている。
【００１７】
図１と図２に示すように、集塵ケース２４が電動送風機３０を内蔵した掃除機本体２１に対して着脱自在に、かつ水平に対して角度約４５°の傾斜で設置され、掃除機本体２１に装着した状態で集塵ケース２４入口側の吸気口３１は吸引口２５を開口した吸引路３２に連通し、他方集塵ケース２４出口側の排出口３３は電動送風機３０に連通している。
【００１８】
集塵ケース２４は図３、図４に示すように、塵埃を含む空気を取り入れ旋回気流を発生させる円筒状の１次旋回室３４（塵埃分離部）、その下方に位置する略円筒状の２次旋回室３９（塵埃分離部）から構成され、その下方に塵埃を溜める直方体状の集塵室３５が位置している。
【００１９】
１次旋回室３４には、円筒形状の外郭内周面に対して接線方向となるように開口した吸気口３１と、中心には排出口３３に連通する円筒状の排気筒３６を配している。この排気筒３６の外周側壁にはメッシュフィルターやエッチングフィルター等の濾過フィルタによる通気部３７を構成しており、粗塵が排気筒３６を通り抜けないようにしている。加えて、排気筒３６と排出口３３との間には、第２の塵埃分離手段３８として不織布フィルタをプリーツ状に折ったものを配置している。集塵室３５は、１次旋回室３４の下方に、２次旋回室と連通するように、それぞれの中心軸を水平方向に平行にずらした位置で配置されている。
【００２０】
また、集塵室３５の天井面には開口部４１を開口している。開口部４１は、圧縮板４３と重なる場所に位置し、圧縮板４３がバネに付勢され上部に位置しているときには開口部４１が塞がれ、調湿容器４４と集塵室間の空気の出入りがないようにしている。
【００２１】
また、図３、図４のように、集塵室３５への塵埃の流入口４０は、２次旋回室３９と集塵室３５を隔てる壁部３９ａの旋回気流の上流側に形成されており、２次旋回室３９の円弧状壁部の一部分において、２次旋回室３９の円弧の接線方向に伸長されて導入側壁部３９ｂを形成し、流入口４０の開口範囲を、前記導入側壁部まで拡張させて流入経路を構成している。
【００２２】
そして図５に示すように、圧縮手段４２は集塵室３５内を上下に移動し、手動により下降し、バネ（図示せず）により上昇する平板状の圧縮板４３を設けている。圧縮板４３は、集塵室３５に擦らず、他方圧縮の際に溜まった塵埃が逃げない集塵室３５との間隙を設定（例えば１〜３ｍｍ）している。
【００２３】
また、電動送風機３０は掃除機本体２１との間に、外周サポート部材５１や底部サポート部材５２にゴムやスポンジ等の弾性を有する部材を介して取り付けられている。
【００２４】
調湿容器４４には、集塵室３５に近い端部に調湿口４４ａを有しており、集塵室３５の開口部４１と調湿容器４４の調湿口４４ａはエルボの付いた円断面の単一の連通管４８によって接続されている。
【００２５】
調湿容器４４は、図６に示すように、第１の容器４４ｂと第２の容器４４ｃとに分けられており、これら第１の容器４４ｂと第２の容器４４ｃは、例えば筒状の防振ゴムのような弾性部材４６を挟んで一体に接続されて、内部に単一の空洞を有する調湿容器４４として機能している。
【００２６】
調湿口４４ａは、第１の容器４４ｂ側に有しており、またその内部に吸放湿部材４５を保持している。一方、第２の容器４４ｃは少なくとも一つの面が、電動送風機３０に密着している。このことで、電動送風機３０の動作時の熱を調湿容器４４の内部の空気に伝え昇温させる。
【００２７】
なお、電動送風機３０と第２の容器４４ｃは、サーマルグリスのような、熱伝導体を介して密着させても良い。
【００２８】
また図７の、弾性部材４６の嵌合部内径寸法Ａは、第１の容器４４ｂの外形寸法に対しタイトに作られており、第１の容器４４ｂは弾性部材４６内部に圧入されて、調湿容器４４内部の空気が外部に漏れることなく保持される。そして、第２の容器４４ｃも、第１の容器４４ｂと同様に取り付けられる。ただし、取り付け方はこれに限られることはなく、接着や、ビスによる固定でもかまわない。
【００２９】
また、吸放湿部材４５として、例えば１０ｇの日本エクストラン工業社製タフチックＨＵ（シリカゲルに比べて吸湿率が高い）をコルゲートハニカム（例えば、ピッチ１〜３ｍｍ、高さ１〜３ｍｍ）に添着した物を用い、その吸放湿部材４５を、調湿容器４４内の高さ方向の略中央に設置されることで、調湿容器４４を集塵室側空間である第１の容器４４ｂと電動送風機側空間である第２の容器４４ｃに区分している。コルゲートハニカムは、その通気方向が、第１の容器４４ｂの集塵室側空間と第２の容器４４ｃの電動送風機側空間をつなぐような向きに設置する。
【００３０】
以上のように構成された電気掃除機の動作について説明する。
まず、図１に示すように、電動送風機３０が発生させた吸引作用により、家屋の床面上の塵埃が吸込具２９から吸引され、集塵ケース２４は吸引ホース２６、延長管２８を通過した塵埃を含む空気を導入し、塵埃を遠心分離し、かつ微細な塵埃を濾過して溜める。そして、濾過した空気は電動送風機３０下流の排気出口（図示せず）から排気するようにしている（サイクロン式の電気掃除機）。
【００３１】
次に、図２および図３により、集塵ケース２４の動作を説明する。先ずは、圧縮手段４２のバネが圧縮板４３を上昇させて集塵室３５の上部に収納する。そして、電動送風機３０の吸引作用により吸気口３１から流入した塵埃を含む空気は、吸気口３１から１次旋回室３４へ接線方向に噴出し排気筒３６の周囲を少し旋回し、直ちに１次旋回室３４の下方に位置する２次旋回室３９に流入する。その後、２次旋回室３９に流入した空気は２次旋回室３９、１次旋回室３４の各略中央を通り通気部３７へ流れる。
【００３２】
特に、図４に示すように、１次旋回室３４と集塵室３５とは平行にずらした状態であるが、２次旋回室３９では、旋回する空気が壁部３９ａの上流端部に達すると、壁部３９ａに沿って急激に向きを変えるので、空気に含まれている塵埃は、向きを変える空気について行けず、塵埃自身の慣性力により流入口４０から集塵室３５に飛び込んで行く。
【００３３】
その際、旋回する空気は２次旋回室３９の外周側壁に沿って流れるが、流入口４０に対する僅かな動圧や空気への遠心力等により量は少ないが、旋回する空気の一部が流入口４０から集塵室３５へ流入する。集塵室３５では、空気は直ちに減速して集塵室３５内をゆっくり旋回し、流入口４０から２次旋回室３９に戻る。そして、集塵室３５に流入した塵埃は、再びゆっくり旋回する空気により流入口４０から２次旋回室３９へ戻らず、自重により空気から分離して集塵室３５の底面に通常下から細塵（土、砂など）、粗塵（綿ごみなど）の順に溜まる。
【００３４】
他方、集塵室３５へ飛び込まなかった塵埃は、通気部３７に遮られ、再び遠心旋回気流に乗り、結局流入口２０から集塵室３５へ飛び込み、集塵室３５の底面に溜まる。その後、塵埃を分離した旋回する空気は２次旋回室３９の中央から１次旋回室３４へ戻り、通気部３７から外部へ排気される。
【００３５】
他方、集塵室３５へ飛び込まなかった塵埃は、通気部３７に遮られ、再び遠心旋回空気に巻き込まれ、結局流入口２０から集塵室３５へ飛び込み、集塵室３５の底面に溜まる。また、空気は集塵室３５内をゆっくり旋回する。また、リント等の微細塵を含んだ空気は通気部３７を通過するが、微細塵は第２の塵埃分離手段３８に濾過され、きれいになった空気が第２の塵埃分離手段３８を通過して、電動送風機３０へと導かれる。
【００３６】
同時に、電動送風機３０は、通過する空気による冷却作用と、逆に内蔵したモータ（図示せず）の温度上昇による加熱作用とにより、室温から差し引き約１８Ｋ温度上昇する。そして、電動送風機３０に密着している第２の容器４４ｃと調湿容器４４壁面やその内部の空気、そして吸放湿部材４５の温度を上昇させる。
【００３７】
そして、掃除が終われば、電動送風機３０が停止すると共に、図５、図６に示すように、手動により圧縮手段４２が圧縮板４３を降下させて集塵室３５に溜まった塵埃を圧縮してコンパクトにする。そしてその時に開口部４１は開放される。
【００３８】
そして、電動送風機３０は通過する空気による冷却作用がなくなり、かつ電動送風機３０に内蔵したモータの余熱（熱容量）により、さらに約９Ｋ温度上昇する。すなわち、電動送風機３０は掃除終了後から約１時間程度、約１８Ｋ以上の温度上昇を継続する。
同様に、調湿容器４４は電動送風機３０から加熱され約２４℃から約５１℃へ温度上昇す
る。
【００３９】
図８に示すように温度上昇により吸放湿部材４５周りの相対湿度は６０％から１４％へ低下して、吸湿率４８％から１４％までの差分２４％の蒸気２．４ｇ（１０ｇ×２４％）が放湿される。（時間をかけ、大気開放の場合）しかし、実際には、吸放湿部材４５は放湿するのに時間がかかり、また放湿した蒸気が吸放湿部材４５周りに溜まるために、吸放湿部材４５周りの相対湿度は１４％に維持されることはなく、直ちに上昇するので、吸放湿部材４５は通常実験によると０．３〜０．６ｇ放湿する。
【００４０】
続いて吸放湿部材４５から放湿された蒸気を含む湿度の高い、温度上昇した空気は、調湿容器４４と集塵室３５の湿度差（物質移動）と自然対流により調湿容器４４の上部を通過して連通管４８を通って開口部４１から集塵室３５に流入する。集塵室３５の相対湿度は約８０〜９５％、温度は約１〜５Ｋそれぞれ上昇する。
【００４１】
次に、湿度の高い空気は集塵室３５と圧縮板４３との間隙から、集塵室３５に溜まり圧縮板４３に圧縮された塵埃３ｇ（標準家庭の一日の塵埃）を加湿する。この結果、塵埃は塵埃自身の間隙から浸透する湿度の高い空気から時間をかけて０．１ｇ〜０．３ｇ程度吸湿するので、粗塵（綿ごみ等）は柔らかく、変形し易くなり圧縮性が向上し、かつ変形し伸びた粗塵は互いに絡み合う。よって、圧縮手段４２を解除しても、圧縮した塵埃はほとんど体積が元には戻らない。
【００４２】
他方、細塵（泥、砂等）は、重量が増加し、吸湿すると柔らかくなり互いに結合し、変形した粗塵と絡み合うので、結局細塵が大きく重くなる。また、湿度の高い空気が集塵室３５に一旦入ってしまえば、一部分が流入口４０から２次旋回室３９へ抜けるが、それでも集塵室３５に溜まり圧縮板４３に圧縮された塵埃は十分に吸湿できる。
【００４３】
また、集塵室３５に溜まった圧縮した塵埃を廃棄するために集塵室３５の底蓋を開けた時に、底に溜まった重くなった細塵が真直ぐに落下し、その上を圧縮された粗塵が落下するので、ごみの舞い散りが抑えられるという効果がある。
【００４４】
そして、湿度を塵埃に与えて湿度と温度の低くなった空気は、集塵室３５から押し出されて再び連通管４８を通って調湿容器４４に戻っていきタフチックから湿度を受け取りまた集塵室３５へ向かう。
【００４５】
そして、掃除終了後２時間以上経過すると、大気への放熱により電動送風機３０、調湿容器４４が室温付近まで温度低下する。その際に、吸放湿部材４５は放湿作用から、集塵室３５、集塵ケース２４の空気から水分を奪う吸湿作用へ切り替わり、時間をかけて（ほぼ１日）元の吸湿状態に回復するので、放湿用水タンクは不要である。
【００４６】
その際に、圧縮されている塵埃からも水分を奪われ、乾燥するが、粗塵は一度変形するとアイロンがけの様に元に戻り難く、細塵は泥だんごのように硬く締まっている。
この結果、集塵室３５に大量の塵埃を溜めること（集塵室３５のコンパクト化が図れる）ができ、底蓋を開けて集塵室３５に溜まった圧縮した塵埃を廃棄する時に、ごみの舞い散りが抑えられるという効果がある。
【００４７】
また、圧縮されている塵埃が掃除する毎に吸湿と放湿を繰り返すので、塵埃の水分量が著しく増加することがなく、菌、カビ等の増殖が抑えられ、臭気の発生が防止できると共に、集塵室３５に塵埃が固着され難くすることができる。このとき塵埃から抜け出る湿気のうちの一部は、連通管４８を通って吸放湿部材４５に吸収される。吸放湿部材４５の吸湿に要する時間は次回の掃除までの間、つまり約１日であるので十分な時間があると考え
られる。
【００４８】
このように、湿度を、比較的空気の流れの遅い集塵室３５に加湿することになるため、排気されてしまうことなく塵埃に供給でき、確実に湿度の高い空気を塵埃に送ることができる。また、吸放湿部材４５は電動送風機３０の熱により湿度を放出し、電動送風機３０の冷えた後空気から湿度を供給されるため、吸放湿部材４５を加熱するための電源が不要となり、また、水の補給も不要となる。
【００４９】
また、このような構成によって、調湿容器４４は、第１の容器４４ｂと第２の容器４４ｃを、防振ゴムのような弾性部材４６を挟んで配置しているため、電動送風機３０の動作に伴う振動は、第２の容器４４ｃには伝わるが、弾性部材４６の防振ゴム特有の振動を減衰させる作用により、第１の容器４４ｂには伝わらずその結果、吸放湿部材４５には振動が伝わらない、さらに第１の容器４４ｂから連通管４８の先に接続されている集塵室３５にも伝わらない。
【００５０】
また、電動送風機３０は、外周サポート部材５１と、底部サポート部材５２を介して掃除機本体２１に取り付けられているので、掃除機本体２１に伝わらない。
【００５１】
従って、調湿容器４４やそれに接続されている集塵ケース２４が振動して不快な騒音が発生することがない。また、振動により吸放湿部材４５であるコルゲートハニカムに添着したタフチックが脱落するようなことが無く信頼性の高い電気掃除機を提供することができる。
【００５２】
また、吸放湿部材４５が湿度の高い空気を集塵室３５に供給し、その結果、粗塵は変形し易くなり圧縮性が向上し、集塵室３５の大幅な小型化が図れ、そして、電動送風機３０の熱と、空気中の水分を利用するため電源と水の補給の必要ないので、使い勝手の良い電気掃除機を提供することができる。
【００５３】
従って、電動送風機からの受熱と、電動送風機の回転に伴う振動の抑制を両立する、信頼性の高い電気掃除機を提供することができる。
【００５４】
（実施の形態２）
本発明の実施の形態２における電気掃除機について説明する。
図９は、本発明の実施の形態２を示す電気掃除機の調湿容器の側面断面図である。以下、実施の形態１と同一部分については同一符号を付してその説明を省略する。
【００５５】
実施の形態１と異なるところは、第１の容器４４ｂと第２の容器４４ｃに挟まれた弾性部材４６が、吸放湿部材４５を保持している点である。
【００５６】
弾性部材４６の内径寸法は、吸放湿部材４５の外形寸法に対しタイトに作られており、吸放湿部材４５は弾性部材４６内部に圧入されて保持される。
このようにすることで、電動送風機３０の動作に伴う振動は、第２の容器４４ｃには伝わるが、弾性部材４６が振動を吸収するため、第１の容器４４ｂおよび、吸放湿部材４５には振動が伝わらない、さらに第１の容器４４ｂから連通管４８の先に接続されている集塵室３５にも伝わらない。
【００５７】
従って、調湿容器４４やそれに接続されている集塵ケース２４が振動して不快な騒音が発生することがない。また、振動により吸放湿部材４５であるコルゲートハニカムに添着したタフチックが脱落するようなことが無く信頼性の高い電気掃除機を提供することができる。
【００５８】
なお、弾性部材として防振ゴムを用いる例を示したがこれに限られることはなく、例えば独立発泡で空気の透過のないスポンジ、αゲルなどを用いても良い。また、弾性部材として、バネとダンパーを組み合わせたものを第１の容器と第２の容器の間に配置させることにより、振動を減衰させても良い。そのときは、調湿容器内湿度が逃げないように、第１の容器と第２の容器の間隙を、柔軟なシートなどでふさぐと良い。
【００５９】
また、吸放湿部材４５として、例えば２０ｇのユニオン昭和社製ハイシリカゼオライトＤＤＺ（相対湿度約１０％以下で急激に吸湿率が低下する）を用いても同様の効果が期待できる。また、吸放湿部材４５として、約２０ｇのシリカゲル（相対湿度と吸湿率とが略正比例の特性を有するタイプの吸放湿部材）を用いてもかまわない。
【産業上の利用可能性】
【００６０】
以上のように、本発明にかかる電気掃除機は、電動送風機の排気風の熱を利用して吸放湿部材を収容する調湿容器を加熱し、さらに電動送風機の回転動作に伴う振動を、調湿容器ならびに集塵ケースに伝えないので、電動送風機３０の振動が調湿容器４４に伝わらず、騒音や吸放湿部材４５などの脱落がない、信頼性の高い電気掃除機を提供することができる。
【符号の説明】
【００６１】
２１  掃除機本体（電気掃除機）
２４  集塵ケース
２５  吸引口
３１  吸気口
３０  電動送風機
３３  排出口
３４  １次旋回室（塵埃分離部）
３９  ２次旋回室（塵埃分離部）
３５  集塵室
４１  開口部
４４  調湿容器
４４ｂ  第１の容器
４４ｃ  第２の容器
４５  吸放湿部材
４６  弾性部材
５０  電動送風機ケース
【図１】
2014042639.tif 000003
【図２】
2014042639.tif 000004
【図３】
2014042639.tif 000005
【図４】
2014042639.tif 000006
【図５】
2014042639.tif 000007
【図６】
2014042639.tif 000008
【図７】
2014042639.tif 000009
【図８】
2014042639.tif 000010
【図９】
2014042639.tif 000011
【図１０】
2014042639.tif 000012
【図１１】
2014042639.tif 000013